(57)【要約】【課題】  筆記部を出没させる際の動作性を向上する。【解決手段】  進退部材２１の外周部に、回動部材２３を設けるとともに、該回動部材２３に、軸筒径内方向へ弾性変形可能な係止突起２３ａを設け、軸筒１０の周壁に、係止状態にある係止突起２３ａを係止可能な前側被係止部１３と、初期位置で係止突起２３ａを係止可能な後側被係止部１４とを設け、軸筒１０の内周面と回動部材２３とのうちの一方に、摺接突起１６を設けるとともに、その他方にはカム斜面２３ｂを設け、進退部材２１が前記係止状態から前進した際に、係止突起２３ａが弾性変形して軸筒内周面側へ潜り込み、摺接突起１６とカム斜面２３ｂの間が滑ることで回動部材２３が一方向へ回動し、この回動により係止突起２３ａが前側被係止部１３に対し係止不能な位置になるようにした。【選択図】  図１
2015217518.tif 000002
【特許請求の範囲】
【請求項１】
筆記部を没入させた初期位置にて後端のノック部が前方へ押動操作された際に、軸筒内の進退部材を前進させて該進退部材前端側の筆記部を軸筒前端から突出させた係止状態になり、この係止状態にて前記ノック部が押動操作された際に前記係止状態を解除して付勢部材の付勢力により前記進退部材を後退させるようにした出没式筆記具において、
前記進退部材の外周部に、前記進退部材と共に進退可能であって且つ前記進退部材に対し周方向へ回動可能な回動部材を設けるとともに、該回動部材に、軸筒径内方向へ弾性変形可能な係止突起を設け、
前記軸筒の周壁に、前記初期位置から前進した際の前記係止突起を軸筒径外方向へ挿入させて係止可能な前側被係止部と、前記係止状態が解除されて後退した際の前記係止突起を軸筒径外方向へ挿入させて係止可能な後側被係止部とを設け、
前記軸筒の内周面と前記回動部材とのうちの一方に、摺接突起を設けるとともに、その他方にはカム斜面を設け、
前記進退部材が前記係止状態から前進した際に、前記係止突起が弾性変形して軸筒内周面側へ潜り込み、前記摺接突起と前記カム斜面との間を滑らせて前記回動部材が一方向へ回動し、この回動により前記係止突起が前記前側被係止部に対し係止不能な位置になるようにしたことを特徴とする出没式筆記具。
【請求項２】
前記前側被係止部は、前記係止突起を、後方斜め周方向へ案内するガイド傾斜面と、該ガイド傾斜面の後端側で前記係止突起を係脱可能に係止する被係止凹部と、該被係止凹部に係止された状態から前進した際の前記係止突起を、軸筒内周面側へ潜り込ませる被潜入部とを有することを特徴とする請求項１記載の出没式筆記具。
【請求項３】
前記回動部材に、前記進退部材の外周部に沿って後方へ突出する係合突起を設け、前記進退部材の外周部に、前記係合突起に係脱可能な被係合突起を設け、前記回動部材を前記進退部材に対し前後方向へ相対的に微動するように設け、
前記係止突起が前記初期位置から前進する際に、前記係合突起を前記被係合突起の側面に接触させることで、前記係合突起及び前記回動部材の前記一方向への回動を規制し、前記係止突起が前記ガイド傾斜面に沿って後退する際に、前記被係合突起が前記係合突起よりも後方側へ移動するようにしたことを特徴とする請求項２記載の出没式筆記具。
【請求項４】
前記後側被係止部は、後退する際の前記係止突起を滑らせて、前記回動部材を元の周方向位置まで回動させる戻し傾斜面を有することを特徴とする請求項１乃至３何れか１項記載の出没式筆記具。
【請求項５】
前記回動部材は、前記進退部材の外周部に環状に装着されていることを特徴とする請求項１乃至４何れか１項記載の出没式筆記具。
【発明の詳細な説明】
【技術分野】
【０００１】
本発明は、軸筒内の進退部材を進退させる操作により、筆記部を軸筒前端から突出させたり、同筆記部を軸筒内へ没入させたりする出没式筆記具に関するものである。
【背景技術】
【０００２】
従来、この種の発明には、手指で後端ノック部を押動操作することにより、中芯をコイルスプリングの付勢力に抗して前進させ、該中芯の前端の筆記部を軸筒前端から突出させ、この突出状態を、クリップや軸筒側面に対する操作により解除するようにしたものがある。
ところで、このような出没式筆記具では、前記解除の際に、後端ノック部に手指が掛けられることなく、中芯がコイルスプリングの付勢力により勢いよく後退するため、その際の衝撃によりインクや進退機構等に支障をきたすおそれがある。
これに対し、例えば、特許文献１に記載の従来技術では、手指で後端のノック部（６）が押動操作されることで筆記部（３）が突出し、手指で同ノック部（６）が再度押動操作されることで同筆記部（３）が没入するようにしているので、前記没入の際の衝撃を比較的小さくすることができる。
【０００３】
しかしながら、特許文献１に記載の従来技術では、ノック部（６）に対する最初の押動操作により、該ノック部（６）と一体の突起部（８）を前進させて突起部第２係止孔（１２）に係止し、ノック部（６）に対する再度の押動操作により、突起部（８）を斜めに前進させて案内窓（１４）前端側に移動する構造であるため（特許文献１の図３参照）、前記最初の押動操作の際に、突起部（８）が一気に案内窓（１４）の前端側まで移動し、該突起部（８）が、係止されることなくスプリング（５）の付勢力により元の位置に戻されてしまうおそれがある。
【先行技術文献】
【特許文献】
【０００４】
【特許文献１】実開平５−９５７８４号公報
【発明の概要】
【発明が解決しようとする課題】
【０００５】
本発明は上記従来事情に鑑みてなされたものであり、その課題とする処は、筆記部を出没させる際の動作性を向上することにある。
【課題を解決するための手段】
【０００６】
上記課題を解決するための一手段は、筆記部を没入させた初期位置にて後端のノック部が前方へ押動操作された際に、軸筒内の進退部材を前進させて該進退部材前端側の筆記部を軸筒前端から突出させた係止状態になり、この係止状態にて前記ノック部が押動操作された際に前記係止状態を解除して付勢部材の付勢力により前記進退部材を後退させるようにした出没式筆記具において、前記進退部材の外周部に、前記進退部材と共に進退可能であって且つ前記進退部材に対し周方向へ回動可能な回動部材を設けるとともに、該回動部材に、軸筒径内方向へ弾性変形可能な係止突起を設け、前記軸筒の周壁に、前記初期位置から前進した際の前記係止突起を軸筒径外方向へ挿入させて係止可能な前側被係止部と、前記係止状態が解除されて後退した際の前記係止突起を軸筒径外方向へ挿入させて係止可能な後側被係止部とを設け、前記軸筒の内周面と前記回動部材とのうちの一方に、摺接突起を設けるとともに、その他方にはカム斜面を設け、前記進退部材が前記係止状態から前進した際に、前記係止突起が弾性変形して軸筒内周面側へ潜り込み、前記摺接突起と前記カム斜面との間を滑らせて前記回動部材が一方向へ回動し、この回動により前記係止突起が前記前側被係止部に対し係止不能な位置になるようにしたことを特徴とする。
【発明の効果】
【０００７】
本発明は、以上説明したように構成されているので、筆記部を出没させる際の動作性を向上することができる。
【図面の簡単な説明】
【０００８】
【図１】本発明に係る出没式筆記具の一例を示す斜視図であり、（ａ）は筆記部を没入させた状態を示し、（ｂ）は筆記部を突出させた状態を示す。なお、本斜視図では、輪郭を明確にする等のために、曲面と平面の境目を実線で示している。
【図２】軸筒から中芯ユニットを外した状態を示す斜視図である。なお、本斜視図では、輪郭を明確にする等のために、曲面と平面の境目を実線で示している。
【図３】進退部材の要部を示す拡大斜視図である。なお、本斜視図では、輪郭を明確にする等のために、曲面と平面の境目を実線で示している。
【図４】回動部材の一例を示す拡大斜視図である。なお、本斜視図では、輪郭を明確にする等のために、曲面と平面の境目を実線で示している。
【図５】同出没式筆記具の要部断面図であり、（ａ）は初期位置を示し、（ｂ）はノック部の押動操作により前進した進退部材が係止された状態を示す。
【図６】図５における（ＶＩ）−（ＶＩ）線に沿う端面図であり、進退部材の内部構造を省略して示している。
【図７】（ａ１）と（ａ２）は、互いに軸筒周方向に９０°ずれた位置から視た図であり、係止突起及び回転部材の初期位置を示している。
【図８】（ｂ１）と（ｂ２）は、互いに軸筒周方向に９０°ずれた位置から視た図であり、係止突起及び回転部材を前進させた状態を示している。
【図９】（ｃ１）と（ｃ２）は、互いに軸筒周方向に９０°ずれた位置から視た図であり、係止突起及び回転部材の係止状態を示している。
【図１０】（ｄ１）と（ｄ２）は、互いに軸筒周方向に９０°ずれた位置から視た図であり、係止突起が軸筒内周面側へ潜り込み、回転部材のカム斜面が摺接突起に接触した状態を示している。
【図１１】（ｅ１）と（ｅ２）は、互いに軸筒周方向に９０°ずれた位置から視た図であり、係止突起が係止不能な位置になった状態を示している。
【図１２】（ｆ１）と（ｆ２）は、互いに軸筒周方向に９０°ずれた位置から視た図であり、係止突起が戻し傾斜面に接触した状態を示している。
【発明を実施するための形態】
【０００９】
本実施の形態の第一の特徴は、筆記部を没入させた初期位置にて後端のノック部が前方へ押動操作された際に、軸筒内の進退部材を前進させて該進退部材前端側の筆記部を軸筒前端から突出させた係止状態になり、この係止状態にて前記ノック部が押動操作された際に前記係止状態を解除して付勢部材の付勢力により前記進退部材を後退させるようにした出没式筆記具において、前記進退部材の外周部に、前記進退部材と共に進退可能であって且つ前記進退部材に対し周方向へ回動可能な回動部材を設けるとともに、該回動部材に、軸筒径内方向へ弾性変形可能な係止突起を設け、前記軸筒の周壁に、前記初期位置から前進した際の前記係止突起を軸筒径外方向へ挿入させて係止可能な前側被係止部と、前記係止状態が解除されて後退した際の前記係止突起を軸筒径外方向へ挿入させて係止可能な後側被係止部とを設け、前記軸筒の内周面と前記回動部材とのうちの一方に、摺接突起を設けるとともに、その他方にはカム斜面を設け、前記進退部材が前記係止状態から前進した際に、前記係止突起が弾性変形して軸筒内周面側へ潜り込み、前記摺接突起と前記カム斜面との間を滑らせて前記回動部材が一方向へ回動し、この回動により前記係止突起が前記前側被係止部に対し係止不能な位置になるようにした。
この構成によれば、筆記部を没入させた初期位置において後端ノック部が前方へ押動操作されると、進退部材及び回動部材が前進して、該回動部材の係止突起が、軸筒周壁の前側被係止部に挿入されて係止される。
また、前記係止状態において後端ノック部が前方へ押動操作されると、係止部材が弾性変形して軸筒内周面側へ潜りこみ、回動部材が、前記摺接突起と前記カム斜面との摺接により周方向へ回動し、この回動部材と共に回動する前記係止突起が、前記前側被係止部に対し係止不能な位置となる。したがって、進退部材は、付勢部材の付勢力により後退する。
【００１０】
なお、上記構成では、後退した際の前記回動部材を元の周方向位置に戻す手段については限定しないが、この手段の具体例としては、手動回転操作により前記元の周方向位置に戻す態様や、後退する前記回動部材を傾斜面に摺接させて元の周方向位置に戻す態様等が挙げられる。
また、前側被係止部及び後側被係止部の具体例としては、前記係止突起を軸筒径外方向へ挿入して係止する貫通孔または凹部が挙げられる。
【００１１】
第二の特徴としては、前記前側被係止部は、前記係止突起を、後方斜め周方向へ案内するガイド傾斜面と、該ガイド傾斜面の後端側で前記係止突起を係脱可能に係止する被係止凹部と、該被係止凹部に係止された状態から前進した際の前記係止突起を、軸筒内周面側へ潜り込ませる被潜入部とを有する。
この構成によれば、進退部材の前進により係止突起が前側被係止部に挿入され、進退部材に後方への付勢力が加わると、係止突起は、ガイド傾斜面に沿って後退し被係止凹部に係止される。そして、この係止状態から、進退部材が前進すると、係止突起が被潜入部から軸筒内周面側へ潜り込む。
【００１２】
第三の特徴としては、前記回動部材に、前記進退部材の外周部に沿って後方へ突出する係合突起を設け、前記進退部材の外周部に、前記係合突起に係脱可能な被係合突起を設け、前記回動部材を前記進退部材に対し前後方向へ相対的に微動するように設け、前記係止突起が前記初期位置から前進する際に、前記係合突起を前記被係合突起の側面に接触させることで、前記係合突起及び前記回動部材の前記一方向への回動を規制し、前記係止突起が前記ガイド傾斜面に沿って後退する際に、前記被係合突起が前記係合突起よりも後方側へ移動するようにした。
この構成によれば、係止突起が初期位置から前進する際、係合突起が被係合突起の側面に接触するため、係合突起及び回動部材の前記一方向への回動を規制して、前進する係止突起を前側被係止部へ導くことができる。また、係止突起がガイド傾斜面に沿って後退する際には、ガイド傾斜面の抵抗を受ける回動部材に相対し進退部材が後方側へ微動するため、被係合突起が係合突起よりも後方側に位置し、回動部材が回動可能な状態になる。そして、係止突起がガイド傾斜面に沿って更に後退すると、回動部材の回動に伴い、被係合突起が係合突起の後側に回り込む。よって、この後、進退部材が係止状態から前進する際には、回動部材の回動が被係合突起と係合突起との係合により妨げられることなく、回動部材は、摺接突起とカム斜面との摺接により前記一方向へスムーズに回動する。
【００１３】
第四の特徴としては、前記後側被係止部は、後退する際の前記係止突起を滑らせて、前記回動部材を元の周方向位置まで回動させる戻し傾斜面を有する。
この構成によれば、係止状態が解除されて後退した回動部材を、係止突起を戻し傾斜面に滑らせることで、元の周方向位置に戻すことができる。
【００１４】
第五の特徴としては、作動性及び製造性を向上するために、前記回動部材を、前記進退部材の外周部に環状に装着した。
【実施例】
【００１５】
次に、上記特徴を有する好ましい実施例を、図面に基づいて詳細に説明する。
なお、本明細書中、軸筒軸方向とは、軸筒の中心線の延びる方向を意味する。また、「前」とは、軸筒軸方向の一方側であって筆記部の先端方向を意味する。また、「後」とは、軸筒軸方向の前記一方側に対する逆方向側を意味する。また、「軸筒径方向」とは、軸筒軸方向に対し直交する方向を意味する。また、「軸筒径外方向」とは、前記軸筒径方向に沿って軸筒中心から離れる方向を意味する。「軸筒径内方向」とは、前記軸筒径方向に沿って軸筒中心へ近づく方向を意味する。
【００１６】
この出没式筆記具１は、軸筒１０と、該軸筒１０内に進退可能に設けられるとともに前端側に筆記部２５を有する中芯ユニット２０とを備える（図１及び図２参照）。
そして、この出没式筆記具１は、筆記部２５を没入させた初期位置（図１（ａ）参照）にて後端のノック部２２が前方へ押動操作された際に中芯ユニット２０を前進させて該中芯ユニット２０前端側の筆記部２５を軸筒前端から突出させた係止状態になり（図１（ｂ）参照）、この係止状態にて前記ノック部２２が再度押動操作された際に付勢部材２４ａの付勢力により中芯ユニット２０を後退させて前記初期位置に戻す。
【００１７】
軸筒１０は、長尺円筒状の部材であり、単一の筒状部材から形成してもよいし、複数の筒状部材を接続することで構成してもよい。
この軸筒１０の前端側には、筆記部２５を出没させるための先細筒状の先口部１１が設けられる。また、同軸筒１０の後端側には、中芯ユニット２０を後方から挿入するための開口部１２が設けられる。
また、軸筒１０の後部寄りの周壁には、中芯ユニット２０を軸筒１０に係脱するための前側被係止部１３および後側被係止部１４と、中芯ユニット２０を回転不能に進退させるガイド溝１５（図５参照）とが設けられる。
また、軸筒１０の内周面には、後述する回動部材を回動させるための摺接突起１６が設けられる。
【００１８】
前側被係止部１３は、軸筒１０の周壁を径方向へ貫通する孔であり、前記係止状態にて、中芯ユニット２０側の後述する係止突起２３ａを、軸筒径外方向へ挿入させて係止するように形成されている。
詳細に説明すれば、この前側被係止部１３は、図２に示すように、係止突起２３ａが初期位置から前進した際の係止突起２３ａを軸筒径外方向へ挿入させる被挿入部１３ａと、該被挿入部１３ａよりも後側にて、係止突起２３ａを後方斜め周方向へ案内するガイド傾斜面１３ｂと、該ガイド傾斜面１３ｂの後端側で係止突起２３ａを係脱可能に係止する被係止凹部１３ｃと、該被係止凹部１３ｃに係止された状態から前進した際の係止突起２３ａを、傾斜面２３ａ２１により滑らせて軸筒内周面側へ潜り込ませる被潜入部１３ｄとを有する。
【００１９】
被挿入部１３ａは、軸筒内側から係止突起２３ａを挿入可能な空間を確保している。
ガイド傾斜面１３ｂは、図示例によれば、直線状の傾斜面としているが、曲面とすることも可能である。
被係止凹部１３ｃは、ガイド傾斜面１３ｂの後端側部分と、該部分に対し周方向に対称に並ぶ傾斜面とによって平面視略Ｖ字状に形成され、後退した際の係止突起２３ａを横振れ等しないように安定的に係止する。
被潜入部１３ｄは、被挿入部１３ａに対し周方向に並ぶ位置において、被挿入部１３ａの前端縁よりも後方へ突出するように形成される。
【００２０】
また、後側被係止部１４は、前側被係止部１３に対し間隔を置いて、前側被係止部１３の後方側に配置される。
この後側被係止部１４は、図２に示すように、筆記部２５を突出した係止状態から後退した際の係止突起２３ａを軸筒径外方向へ挿入させる被挿入部１４ａと、該被挿入部１４ａよりも後方側にて、後退する際の係止突起２３ａを後方斜め周方向へ滑らせて初期位置に戻す戻し傾斜面１４ｂと、係止突起２３ａを初期位置に保持する保持凹部１４ｃと、該保持凹部１４ｃから前進する際の係止突起２３ａを前方へ導く前進ガイド部１４ｄとを有する。
【００２１】
被挿入部１４ａは、軸筒内側から係止突起２３ａを挿入可能な空間を確保している。
戻し傾斜面１４ｂは、前側被係止部１３のガイド傾斜面１３ｂに対し反対向きに傾斜する傾斜面であり、後退する際の係止突起２３ａを滑らせることで、回動部材２３を元の周方向位置まで回動させる。
保持凹部１４ｃは、前記のように斜めに後退した係止突起２３ａが挿入されるように、前方へ開口した平面視凹状に形成される。
前進ガイド部１４ｄは、保持凹部１４ｃの前方に連続する空間を確保している。
【００２２】
また、ガイド溝１５は、軸筒１０の周壁において、前側被係止部１３及び後側被係止部１４以外の位置に前後方向へわたって設けられた直線状の溝である（図５参照）。
このガイド溝１５は、図示例によれば、軸筒周方向において、前側被係止部１３及び後側被係止部１４に対し角度１８０°ずれた位置に設けられ、軸筒１０周壁を径方向へ貫通し、前後方向へ連続する長尺状の孔である。
このガイド溝１５は、後述する進退部材２１のガイド突起２１ａを挿入し前後方向へ案内する。したがって、進退部材２１は、ガイド突起２１ａとガイド溝１５との係合により回転不能な状態に維持されて、前後方向へ進退する。なお、図５中の符号１５ａは、ガイド溝１５の後端壁であり、軸筒１０周壁の一部分である。
【００２３】
軸筒１０の周壁におけるガイド溝１５よりも後側には、ガイド突起２１ａをガイド溝１５へ導くための導入溝１５ｂが設けられる。この導入溝１５ｂは、ガイド溝１５の後方側に間隔を置いて設けられ、後方へ延びて軸筒後端部で開放している。
当該出没式筆記具１の製造段階において、軸筒１０内に後方側から中芯ユニット２０が挿入される際、ガイド突起２１ａは、先ず導入溝１５ｂに挿入され、軸筒１０の周壁を弾性変形させながら、前記後端壁１５ａを径内方向へ乗り越えるようにして、ガイド溝１５に嵌り合う（図５参照）。
よって、中芯ユニット２０は、軸筒１０から後方へ抜けないように保持される。
【００２４】
また、摺接突起１６は、前側被係止部１３よりも前側において、前側被係止部１３に対し周方向へ（図示例によれば角度９０°）ずれた位置に配設される（図１参照）。
この摺接突起１６は、軸筒１０の内周面から径内方向へ突出するとともに軸筒後方へ延びる縦リブ状に形成され、その後端部に傾斜面１６ａを有する。この傾斜面１６ａは、後述する回動部材２３のカム斜面２３ｂと略平行するように傾斜している。
なお、他例としては、この傾斜面１６ａを、傾斜面の無い突起や、突曲面とすることも可能である。
【００２５】
また、中芯ユニット２０は、図２に示すように、軸筒１０の内周面に沿って進退可能な進退部材２１と、該進退部材２１の後端側に一体に接続されたノック部２２と、進退部材２１と共に軸筒１０に対し進退可能であって且つ進退部材２１に対しては周方向へ回動可能且つ軸方向へ微動可能な回動部材２３と、進退部材２１の前端側に装着されて筆記部２５を密閉したり解放したりする筆記部開閉機構２４とを備える。また、この中芯ユニット２０の内部には、図示しない中綿及びインク等が充填されている。
【００２６】
進退部材２１は、略円筒状の部材であり、その前端側に筆記部２５を支持するとともに、後端開口部にノック部２２を接続している。
この進退部材２１は、図３にしめすように、外周面に、回動部材２３の前方への移動を規制する前側規制突起２１ｂと、該前側規制突起２１ｂよりも後側で回動部材２３の後方への移動を規制するとともに後述する回動部材２３の係合突起２３ｃ（図５参照）に係脱する被係合突起２１ｃとを有する。
【００２７】
これら前側規制突起２１ｂと被係合突起２１ｃの間隔は、回動部材２３の前後方向への若干の微動により、回動部材２３側の係合突起２３ｃが被係合突起２１ｃに対し軸方向へずれるように適宜に設定される。
【００２８】
また、被係合突起２１ｃは、進退部材２１の外周面に沿う長尺直方体状の突起であり（図３参照）、進退部材２１外周面において角度１８０°対称に二つ配設される。
【００２９】
また、進退部材２１の外周面において、前側規制突起２１ｂと被係合突起２１ｃの間の部分には、回動部材２３の周方向の回動を規制する二つの回動規制突起２１ｄが設けられる（図３参照）。これら回動規制突起２１ｄの周方向の間隔は、回動部材２３の係止突起２３ａが、周方向の一方側で前側被係止部１３及び後側被係止部１４に嵌り合い（図７参照）、周方向の他方側では、前側被係止部１３から外れるとともに後側被係止部１４には嵌り合う（図１１参照）ように適宜に設定される。
【００３０】
また、ノック部２２は、後端を閉鎖した有底筒状の部材であり、進退部材２１の後端開口部に挿入され螺合接続されている。このノック部２２は、進退部材２１内の図示しない中綿が交換される際に着脱されるようになっている。
【００３１】
また、回動部材２３は、進退部材２１の外周部に全周にわたって環状に嵌め合せられた部材である。この回動部材２３は、図４に示すように、環状本体部２３ｅに、軸筒径内方向へ弾性変形可能な係止突起２３ａと、軸筒１０内周面の摺接突起１６に係合するカム斜面２３ｂ，２３ｂと、進退部材２１外周の被係合突起２１ｃに係脱する係合突起２３ｃ，２３ｃと、進退部材２１外周の二つの回動規制突起２１ｄに係合する回動規制凹部２３ｄとを、一体成形している。
【００３２】
係止突起２３ａは、環状本体部２３ｅの後端縁から後方へ延びた撓み片部２３ａ１と、該撓み片部２３ａ１の後端側から軸筒径外方向へ突出する隆起部２３ａ２とから構成される。この係止突起２３ａは、通常状態では、前側被係止部１３又は後側被係止部１４内に係合しており、前記撓み片部２３ａ１を軸筒径内方向へ弾性的に撓ませることで、前記隆起部２３ａ２を、前側被係止部１３又は後側被係止部１４から外して、軸筒１０周壁内側へ潜り込ませる。
回動部材２３の前端側には、前方斜め軸筒中心側へ傾斜する傾斜面２３ａ２１が設けられる。この傾斜面２３ａ２１は、隆起部２３ａ２が軸筒１０内周面側へ潜り込む際に、その摩擦抵抗を軽減する。
【００３３】
また、カム斜面２３ｂは、環状本体部２３ｅの前端から回動部材２３外周部に沿って前方へ突出する突起の先端部分に形成される。このカム斜面２３ｂは、前方へゆくにしたがって傾斜している。この傾斜方向は、係止突起２３ａが前側被係止部１３から外れる動作（図１０及び図１１参照）に伴う回動部材２３の回動方向である。
【００３４】
係合突起２３ｃは、環状本体部２３ｅの後端から回動部材２３の外周部に沿って後方へ突出する突起であり、図４に示す一例によれば、周方向へ長尺な直方体状に形成される。この係合突起２３ｃの周方向の一端側には、進退部材２１側の被係合突起２１ｃをスムーズに乗り越えさせるように（図８及び図９参照）、傾斜面２３ｃ１が形成されている。
この係合突起２３ｃは、図示例によれば、係脱対象である被係合突起２１ｃと同様に、角度１８０°対称に二つ設けられる。なお、他例としては、係合突起２３ｃ及び被係合突起２１ｃをそれぞれ単数とすることも可能である。
【００３５】
回動規制凹部２３ｄは、環状本体部２３ｅ周壁の後端側を凹状に切欠くようにして形成された凹部であり、その周方向の両側の二つの端面の間に、進退部材２１外周の二つの回動規制突起２１ｄを置くようにして配置される（図３〜図４及び図６参照）。
そして、この回動規制凹部２３ｄは、回動部材２３が周方向の一方へ回動した際に、前記端面の一方を、対応する一方の回動規制突起２１ｄに当接させて、その回動量を規制し、同回動部材２３が周方向の他方へ回動した際には、前記端面の他方を、対応する他方の回動規制突起２１ｄに当接させて、その回動量を規制する。
【００３６】
また、筆記部開閉機構２４は、図２に示すように、筆記部２５の前端側の周囲を覆うようにして進退部材２１前端側に装着された筒状部材２４ｃと、該筒状部材２４ｃの前端開口を塞ぐ蓋部材２４ｂと、該蓋部材２４ｂの前端面に掛けられるとともに後端側が進退部材２１に掛止されて該蓋部材２４ｂを閉鎖状態に維持するベルト状部材２４ｄと、筒状部材２４ｃと進退部材２１外周面の段部との間に環状に装着されて進退部材２１を後方へ付勢する付勢部材２４ａ（図指例によれば圧縮コイルバネ）とを具備する。
この筆記部開閉機構２４は、筆記部２５が軸筒１０内へ没入した初期位置では、ベルト状部材２４ｄによって蓋部材２４ｂの閉鎖状態を維持し、軸筒１０に相対し中芯ユニット２０が前進した際には、ベルト状部材２４ｄを軸筒１０内周部に係合させることで蓋部材２４ｂの前端面から外し、蓋部材２４ｂを解放して筆記部２５を露出させる。
【００３７】
前記付勢部材２４ａは、前記したように進退部材２１を後方へ付勢することで、初期位置において係止突起２３ａを後側被係止部１４内に保持し、また、初期位置から前進した際の係止突起２３ａを、前側被係止部１３内の後部寄りに保持する。
【００３８】
また、筆記部２５は、多数の合成樹脂繊維を軸状に収束してなるチップの前端部分であり、例えば砲弾状や斜めカット状等、当該出没式筆記具の用途に応じた適宜形状に形成されている。
【００３９】
次に、上記構成の出没式筆記具１について、その特徴的な作用効果を詳細に説明する。
先ず、筆記部２５を軸筒１０内に没入させた初期位置（図１（ａ），図５（ａ），図７（ａ１）（ａ２））では、係止突起２３ａ（詳細には隆起部２３ａ２）が、後側被係止部１４内後端側の保持凹部１４ｃに保持されている（図７（ａ１）参照）。
なお、図７（ａ１）によれば、後側被係止部１４内の隆起部２３ａ２と、保持凹部１４ｃ内後端縁の間に隙間があるが、この隙間は、隆起部２３ａ２を若干前後に移動可能にする遊び空間であり、軸筒１０内への中芯ユニット２０（詳細には進退部材２１）の組付けを容易にする。
【００４０】
前記状態からノック部２２が前方へ押動操作されると、中芯ユニット２０が前進するのに伴って、係止突起２３ａの隆起部２３ａ２が、後側被係止部１４内（詳細には前進ガイド部１４ｄ内）を前進して、その前端の傾斜面２３ａ２１を、後側被係止部１４の前端縁の裏側（軸筒１０内周面側）へ潜り込ませる。
さらに、中芯ユニット２０が前進すると、係止突起２３ａの隆起部２３ａ２は、軸筒１０の内周面に沿って前進する。この前進の際、進退部材２１のガイド突起２１ａが軸筒１０周壁のガイド溝１５（図５参照）に案内されるため、中芯ユニット２０の周方向への回転は阻まれる。また、中芯ユニット２０が前進してゆくと、筆記部開閉機構２４が軸筒１０と係合して蓋部材２４ｂを徐々に開放してゆき、筆記部２５を露出させる。
【００４１】
そして、筆記部２５が軸筒１０前端から突出すると、係止突起２３ａの隆起部２３ａ２が、軸筒１０内部側から前側被係止部１３内へ進入する（図８参照）。
この前進の途中、進退部材２１側の被係合突起２１ｃが、回動部材２３側の係合突起２３ｃの周方向端面に接触することで（図７（ａ２）参照）、回動部材２３の解除方向（図７によれば下方向）への回動が阻止される。
また、この前進の終盤においては、図８（ｂ２）に示すように、回動部材２３側のカム斜面２３ｂが、軸筒１０側の摺接突起１６の周方向の一方側（図指例によれば上側）に位置する。
これらの作用により、前記押動操作の途中や終盤で、回動部材２３が解除方向（図７及び図８の下方）へ回転して、隆起部２３ａ２が軸筒１０内周面側へ潜り込み、該隆起部２３ａ２が前側被係止部１３に係止されないまま、中芯ユニット２０が付勢部材２４ａの付勢力により後退してしまうのを防ぐことができる。
【００４２】
次に、ノック部２２に対する押動力が除去されると、中芯ユニット２０は、付勢部材２４ａ（図２参照）の付勢力により若干後退するとともに、係止突起２３ａの隆起部２３ａ２が、図８（ｂ１）〜図９（ｃ１）に示すように、ガイド傾斜面１３ｂに沿って斜めに後退する。この後退の際、回動部材２３がガイド傾斜面１３ｂの摩擦抵抗を受けながら、進退部材２１は付勢部材２４ａの付勢力を受けるため、図９（ｃ２）に示すように、進退部材２１側の被係合突起２１ｃは、回動部材２３に相対して後退し、係合突起２３ｃに対し周方向に重ならない位置となり、さらに、回動部材２３の回動により係合突起２３ｃの後端側へ回り込む。
また、回動部材２３のカム斜面２３ｂは、図８（ｂ２）〜図９（ｃ２）に示すように後退して、軸筒１０側の摺接突起１６に対し、摺接可能な位置となる。
【００４３】
また、係止突起２３ａは、図９（ｃ１）に示すように、前側被係止部１３内後端の被係止凹部１３ｃに係止された係止状態となる。この係止状態において、筆記部２５は、軸筒１０から突出した状態に維持される。
【００４４】
次に、前記係止状態にて、ノック部２２が押動操作されると、隆起部２３ａ２が前進して、該隆起部２３ａ２の傾斜面２３ａ２１を、前側被係止部１３の被潜入部１３ｄの内面側へ潜り込ませ（図１０（ｄ１）参照）、これと略同時に、回動部材２３のカム斜面２３ｂが、摺接突起１６突端の傾斜面１６ａに当接する（図１０（ｄ２）参照）。
【００４５】
さらに、前記押動操作の継続によって中芯ユニット２０が前進すると、図１０（ｄ２）〜図１１（ｅ２）に示すように、回動部材２３がカム斜面２３ｂを摺接突起１６に滑らせて回動する。また、隆起部２３ａ２は、被潜入部１３ｄの裏側において、軸筒１０内周面に沿って前進するとともに、被係止凹部１３ｃに対し周方向へ離れて係止不能になる。
【００４６】
次に、前記状態からノック部２２に対する押動力が除去されると、図１１〜図１２に示すように、進退部材２１が付勢部材２４ａの付勢力により後退するのに伴い、隆起部２３ａ２は、前側被係止部１３に嵌り合うことなく、軸筒１０の内周面に沿って後退し、後側被係止部１４内の被挿入部１４ａに嵌り込む。
さらに、係止突起２３ａは、後側被係止部１４内において戻し傾斜面１４ｂを滑って行き、保持凹部１４ｃに嵌り込んで初期位置に戻る。
【００４７】
なお、前記動作中、回動部材２３は、回動規制凹部２３ｄを回動規制突起２１ｄに嵌め合わせることで、周方向の回動量が規制されているため、回動しすぎて、前側被係止部１３や後側被係止部１４に対し嵌合不能になってしまうようなことはない。
【００４８】
また、上記実施例では、軸筒１０側に摺接突起１６を設け、回動部材２３側にカム斜面２３ｂを設けたが、他例としては、軸筒１０側にカム斜面を設け、回動部材２３側に摺接突起を設けるようにしてもよい。
【００４９】
また、上記実施例では、係止突起２３ａの隆起部２３ａ２に傾斜面２３ａ２１を設けるようにしたが、他例としては、傾斜面２３ａ２１を省いて、前側被係止部１３内の先端及び後側被係止部１４内の前端に、隆起部２３ａ２を潜り込ませるように傾斜面を形成するようにしてもよい。
【００５０】
また、上記実施例では、出没式筆記具１としてマーカーペンを構成したが、出没式筆記具１の他例としては、フェルトペンや、ボールペン、シャープペンシル等を構成することも可能である。
【符号の説明】
【００５１】
１：出没式筆記具
１０：軸筒
１３：前側被係止部
１３ｂ：ガイド傾斜面
１４：後側被係止部
１４ｂ：戻し傾斜面
１６：摺接突起
２０：中芯ユニット
２１：進退部材
２１ａ：ガイド突起
２１ｂ：前側規制突起
２１ｃ：被係合突起
２１ｄ：回動規制突起
２３：回動部材
２３ａ：係止突起
２３ａ１：撓み片部
２３ａ２：隆起部
２３ｂ：カム斜面
２３ｃ：係合突起
２３ｄ：回動規制凹部
２５：筆記部
【図１】
2015217518.tif 000003
【図２】
2015217518.tif 000004
【図３】
2015217518.tif 000005
【図４】
2015217518.tif 000006
【図５】
2015217518.tif 000007
【図６】
2015217518.tif 000008
【図７】
2015217518.tif 000009
【図８】
2015217518.tif 000010
【図９】
2015217518.tif 000011
【図１０】
2015217518.tif 000012
【図１１】
2015217518.tif 000013
【図１２】
2015217518.tif 000014